(57)【要約】【課題】  ベッド本体をヒンジ部回りに折畳んだ状態として、敷蒲団や掛蒲団をベッド本体の両側面に渡るように掛けた場合であっても、蒲団に埃等が付着するのを防止し、寝具の収納時の見栄えを向上させ得る折畳み式ベッドの提供。【解決手段】  丈方向所定位置に配置したヒンジ部を中心として折畳むことが可能なベッド本体と、カバーとを備え、該カバーは、ベッド本体を折畳んで蒲団を折畳んだベッド本体の両側面に渡るように掛けた状態で、ベッド本体を、蒲団を介して覆うことができる伸縮性を備えている折畳み式ベッドの構成。【選択図】  図３
0003164270.tif 000002
【実用新案登録請求の範囲】
【請求項１】
丈方向所定位置に配置したヒンジ部を中心として折畳むことが可能なベッド本体と、カバーとを備え、
該カバーは、ベッド本体を折畳んで蒲団を折畳んだベッド本体の両側面に渡るように掛けた状態で、ベッド本体を、蒲団を介して覆うことができる伸縮性を備えた生地から形成されていることを特徴とする折畳み式ベッド。
【請求項２】
カバーは、開口部を備えた袋状に形成されていることを特徴とする請求項１記載の折畳み式ベッド。
【請求項３】
カバーは多方向に伸縮自在とされていることを特徴とする請求項１または請求項２記載の折畳み式ベッド。
【請求項４】
ベッド本体に、カバーの収納部が設けられていることを特徴とする請求項１ないし請求項３の何れかに記載の折畳み式ベッド。
【請求項５】
収納部は、ベッド本体に載置されるマットの裏面生地に設けられていることを特徴とする請求項４記載の折畳み式ベッド。
【請求項６】
マットは、角度調節機構によって所定の角度で起き上がり可能なマット部を備え、収納部は前記マット部の裏面生地に設けられていることを特徴とする請求項５記載の折畳み式ベッド。
【請求項７】
収納部は、マットの裏面生地に着脱手段を介して開閉自在となる開口部をマットの丈方向上側に備えていることを特徴とする請求項６記載の折畳み式ベッド。
【請求項８】
収納部は、マットの裏面生地と、該裏面生地に重ねて設けられて裏面生地と同一の生地で形成された重ね生地によって袋状に構成されていることを特徴とする請求項５ないし請求項７の何れかに記載の折畳み式ベッド。
【考案の詳細な説明】
【技術分野】
【０００１】
本考案は折畳み式ベッドに関する。
【背景技術】
【０００２】
特に比較すべき文献公知発明はない。しかしながら、ベッド本体をその丈方向所定位置（例えば略中間位置）に配置したヒンジ部回りに畳んで、収容スペースを小さくすることができる折畳み式ベッドは知られている。
【０００３】
特に比較すべき先行技術文献はない。
【考案の概要】
【考案が解決しようとする課題】
【０００４】
上記従来の折畳み式ベッドは、ベッド本体をヒンジ部回りに折畳んだ状態として、ベッド本体に敷く敷蒲団や掛蒲団は、収納のために、折畳んだベッド本体の両側面に渡るように掛けることが行われる。しかしながら、従来の折畳み式ベッドでは、該蒲団を覆うカバーは付属していなかった。このため、蒲団には埃が付着し易く、また蒲団が露出した状態では見栄えが悪い、という指摘があった。
【０００５】
そこで本考案は、ベッド本体をヒンジ部回りに折畳んだ状態として、敷蒲団や掛蒲団をベッド本体の両側面に渡るように掛けた場合であっても、蒲団に埃等が付着するのを防止し、寝具の収納時の見栄えを向上させ得る折畳み式ベッドの提供を目的とする。
【課題を解決するための手段】
【０００６】
本考案の折畳み式ベッドは、丈方向所定位置に配置したヒンジ部を中心として折畳むことが可能なベッド本体と、カバーとを備え、該カバーは、ベッド本体を折畳んで蒲団を折畳んだベッド本体の両側面に渡るように掛けた状態で、ベッド本体を、蒲団を介して覆うことができる伸縮性を備えた生地から形成されていることを特徴としている。
【０００７】
上記構成によれば、ベッド本体をヒンジ部回りに折畳んだ状態として、蒲団（敷蒲団や掛蒲団）をベッド本体の両側面に渡るように掛け、その上からカバーを被せることで、蒲団に埃等が付着するのを防止し、またカバーによって蒲団が隠れるから、寝具の収納時の見栄えが向上する。
【０００８】
本考案の折畳み式ベッドのカバーは、開口部を備えた袋状に形成されている構成を採用することができる。この構成によれば、折畳み式ベッドあるいはこれに掛けた蒲団に、カバーが容易に掛けられる。
【０００９】
本考案の折畳み式ベッドでは、カバーは、多方向に伸縮自在とされている構成を採用することができる。この構成によれば、折畳んだベッド本体に蒲団を乱雑に掛けたとしてもその上からカバーを掛けられる。多方向に伸縮自在とは、特定の方向のみへ伸縮性に富むことではなく、生地の面方向に沿う方向であれば、何れの方向へも伸縮が自在であることを意味している。
【００１０】
本考案の折畳み式ベッドは、ベッド本体に、カバーの収納部が設けられている構成を採用することができる。この構成によれば、カバーを使用しないときには、カバーを収納部に収納しておくことで邪魔にならない。
【００１１】
本考案の折畳み式ベッドでは、収納部は、ベッド本体に載置されるマットの裏面生地に設けられている構成を採用することができる。この構成によれば、収納部が邪魔になりにくい。
【００１２】
本考案の折畳み式ベッドでは、マットは、角度調節機構によって所定の角度で起き上がり可能なマット部を備え、収納部は前記マット部の裏面生地に設けられている構成を採用することができる。この構成によれば、マット部を起き上がらせることでカバーを収納部から取り出し、あるいは収納する。
【００１３】
本考案の折畳み式ベッドでは、収納部は、マットの裏面生地に着脱手段を介して開閉自在となる開口部をマットの丈方向上側に備えている構成を採用することができる。この構成によれば、マット部を起き上がらせて収納部の上方からカバーを出し入れする。
【００１４】
本考案の折畳み式ベッドでは、収納部は、マットの裏面生地と、該裏面生地に重ねて設けられて裏面生地と同一の生地で形成された重ね生地によって袋状に構成されている構成を採用することができる。この構成によれば、収納部の形成のために特別な生地を準備する必要がない。
【考案の効果】
【００１５】
本考案の折畳み式ベッドによれば、ベッド本体をヒンジ部回りに折畳んだ状態として、蒲団をベッド本体の両側面に渡るように掛け、その上からカバーを被せることで、蒲団に埃等が付着するのを防止でき、またカバーによって蒲団が隠れるから、寝具の収納時の見栄えを向上させることができる。
【図面の簡単な説明】
【００１６】
【図１】本考案の一実施形態に係る折畳み式ベッドにおいて、マットの他方側部を起こした状態の斜視図である。
【図２】同折畳み式ベッドを折畳んだ状態の斜視図である。
【図３】同折畳み式ベッドを折畳んで、カバーを掛ける途中の斜視図である。
【図４】同カバーで蒲団を覆った状態の斜視図である。
【考案を実施するための形態】
【００１７】
以下、本考案の一実施形態に係る折畳み式ベッドを、図１ないし図４に基づいて説明する。これらの図に示すように、折畳み式ベッド１はベッド本体２と、マット３と、カバー４とを備えている。
【００１８】
図１に示すように、ベッド本体２は、フレーム５と、フレーム５に取付けられた脚部材とを備えている。フレーム５は人体の身長に沿う方向である丈方向Ｈ中心に設けたヒンジ部６を介して、丈方向Ｈに一対で設けたフレーム部７，８を連結することで、ヒンジ部６が上になるように折畳み可能に構成されている。
【００１９】
フレーム部７，８は、折畳み式ベッド１の使用姿勢である開いた状態において、これを平面視すると、それぞれコ字形に形成されている。そして、各フレーム部７，８のヒンジ部側端部が前記ヒンジ部６に連結されて、全体として矩形枠状に形成されている。
【００２０】
ベッド本体２の使用姿勢において、脚部材は、折畳み式ベッド１を使用する使用者の下半身側でフレーム５（一方のフレーム部７）を支える一方の脚部材１０と、使用者の上半身側でフレーム５（他方のフレーム部８）を支える他方の脚部材１１と、フレーム５を丈方向Ｈ中間部で支える中間の脚部材９とから構成されている。
【００２１】
一方の脚部材１０は、下部にキャスター１２を備えている。このキャスター１２は、一方の脚部材１０にベッド本体２の丈方向Ｈに延びる支持杆１５の端部に配置されている。
【００２２】
他方の脚部材１１は下側を開放した門型に形成され、下部にキャスター１３が取付けられている。ベッド本体２の使用姿勢において、他方の脚部材１１の上部はマット３よりも上方に突出するよう設けられ、脚部材１１を構成する両側の脚部１１Ａは渡し部材１６によって一体的に連結されている。また、他方の脚部材１１の脚部１１Ａの高さ方向中間位置には、別のキャスター１４が取付けられている。
【００２３】
なお、中間の脚部材９は、上側を開放した門型に形成されている。また、一方のフレーム部７左右両側部には、ベッド本体２の使用姿勢において上方へ突出する補助アーム１７が取付けられている。
【００２４】
前記マット３は、フレーム５と略同幅および略同丈に形成されて、フレーム５に足側のマット部１８と頭部側のマット部１９から構成されており、両マット部１８，１９は、ヒンジ部６に対応する部分である丈方向中心部３ａで折畳み可能に構成されている。頭部側のマット部１９は、さらに丈方向Ｈの途中部１９ａで、一方側部１９Ａに対して他方側部１９Ｂが角度調節可能（リクライニング）に構成されている。
【００２５】
そして、マット３において、他方側部１９Ｂ以外の部分は、フレーム５に着脱自在に設けられており、他方側部１９Ｂはフレーム５に対しては全く拘束されていない。このため、他方側部１９Ｂは、一方側部１９Ａに対する角度調節可能であって、しかも所定の角度で保持できる角度調節機構を備えている。
【００２６】
前記カバー４は袋状に広げられるよう形成されている。カバー４は前生地４Ａ、後生地４Ｂ、横生地４Ｃ、天生地４Ｄを縫着して、一端側を開口部４Ｅとした袋状に形成されている。開口部４Ｅの周囲は、生地のほつれがないよう、糸によるほつれ防止加工が施されている。カバー４を構成する各生地は、多方向への伸縮性に富んだ柔軟な生地によって形成されている。これによって、カバー４は幾重にも折畳むことができる。
【００２７】
マット３の一方側部１９Ａには、折畳んだカバー４を収納することができる収納部２０が設けられている。収納部２０は、マット３のうちの一方側部１９Ａの裏面生地２１に一体に設けられている。すなわち収納部２０は、裏面生地２１の面方向中心位置に、重ね生地２２を縫着することで設けられている。重ね生地２２は、裏面生地２１と同じ生地を矩形に裁断してなる。重ね生地２２はその外周三方を裏面生地２１に縫着（符号２０ａで示す）し、外周一方（マット３の一方側部１９Ａの丈方向上側）を縫着せずに開口部２３としている。開口部２３は、裏面生地２１に面ファスナ（着脱手段の一例）２４を介して開閉自在に構成されている。
【００２８】
折畳み式ベッド１は、これを収納するためには、折畳むことが行われる。この場合では、例えば蒲団Ｆをマット３から外し、図２に示すように、ヒンジ部６を中心にしてマット部１８，１９どうしを背中合わせに（裏面側が合うように）折畳む。そうすると、キャスター１２，１４が床面に接触して、折畳み式ベッド１が床面上で自立する。
【００２９】
ところで、カバー４を用いる場合では、図１で示すように、マット部１９において他方側部１９Ｂを起こすことで他方側部１９Ｂの裏面側が現れるから、幾重かに折畳んで予め収納部２０に収納してあるカバー４を、面ファスナ２４を外して開口部２３から取り出しておく。カバー４を取り出した後は、再びマット部１９の他方側部１９Ｂを倒して（広げて）おく。
【００３０】
上記のようにして自立させた折畳み式ベッド１に、図３および図４に示すように、蒲団Ｆを、マット部１８，１９に亘るように掛ける。そして、カバー４を開口部４Ｅ側から蒲団Ｆに掛けるようにして、蒲団Ｆ全体を覆う。そしてカバー４は、伸縮性に富んだ生地を用いて、前生地４Ａ、後生地４Ｂ、横生地４Ｃ、天生地４Ｄを縫着して形成しているから、蒲団Ｆを、折畳み式ベッド１ごと覆うことが可能である。特に、補助アーム１７のような突出する部材が折畳み式ベッド１に付属していたとしても、カバー４は伸縮するので、このような部材も含んで覆うことができる。
【００３１】
このように、蒲団Ｆをカバー４で覆うことで、蒲団Ｆに埃等が付着するのを防止できる。また、カバー４によって蒲団Ｆを折畳み式ベッド１ごと隠すことができる。このため、これら寝具の収納時の見栄えを向上させることができる。
【００３２】
折畳み式ベッド１を使用する場合では、カバー４を外し、これを幾重かに折畳んで収納部２０に収納し、面ファスナ２４を閉じておく。このようにすることで、カバー４が邪魔にならず、これを失うこともない。また、収納部２０は、裏面生地２１に縫着することで形成している。このため、他方側部１９Ｂを倒している態様でも収納部２０が裏面生地２１から垂れ下がることがない。
【００３３】
本考案は上記実施形態に限定されない。例えば、開口部２３は、裏面生地２１に面ファスナ２４を介して開閉自在に構成したが、面ファスナ２４の代わりにホックを用いたり、スライドファスナーとしたりすることも可能である。
【符号の説明】
【００３４】
１…折畳み式ベッド、２…ベッド本体、３…マット、４…カバー、５…フレーム、６…ヒンジ部、７，８…フレーム部、１８，１９…マット部、１９Ａ…一方側部、１９Ｂ…他方側部、２０…収納部、２１…裏面生地、２３…開口部
【図１】
0003164270.tif 000003
【図２】
0003164270.tif 000004
【図３】
0003164270.tif 000005
【図４】
0003164270.tif 000006